(57)【要約】【課題】車載のヘッドアップディスプレイによって路面上に適切に虚像を表示すること。【解決手段】表示装置は、表示パネル３と、導光部１０と、ミラーと、を含む。導光部１０は、表示パネル３の表示面３ＰＥ側に設けられ、表示面３ＰＥと平行かつ表示面３ＰＥに対向する入射部ＰＩと、入射部ＰＩから入射した光を照射しかつ入射部ＰＩと平行である照射部ＰＥとを有する。照射部ＰＥは、入射部ＰＩと直交する方向における位置が表示面３ＰＥの位置に応じて異なる複数の照射面ＰＥａ、ＰＥｂ、ＰＥｃ、ＰＥｄを有する。ミラーは、導光部１０を介して表示パネル３から投影された画像を反射し、車両のフロントウインドウに投影する。【選択図】図３
2014126716.tif 000002
【特許請求の範囲】
【請求項１】
表示パネルと、
前記表示パネルの表示面側に設けられ、前記表示面と平行かつ前記表示面に対向する入射部及び前記入射部から入射した光を照射しかつ前記入射部と平行である照射部を有し、前記照射部は、前記入射部と直交する方向における位置が前記表示面の位置に応じて異なる複数の照射面を有する導光部と、
前記導光部を介して前記表示パネルから投影された画像を反射するミラーと、
を含む表示装置。
【請求項２】
前記照射部は、前記複数の照射面同士が階段状に組み合わされた形状である、請求項１に記載の表示装置。
【請求項３】
前記複数の照射面は、前記表示パネルの上下方向に向かって前記表示面からの距離が段階的に異なる、請求項２に記載の表示装置。
【請求項４】
前記複数の照射面は、前記表示パネルの下方から上方に向かって前記表示面からの距離が段階的に大きくなる、請求項３に記載の表示装置。
【請求項５】
前記複数の照射面は、前記表示パネルが表示する画像の上下方向と直交する方向に向かって前記表示面からの距離が段階的に異なる、請求項２から４のいずれか１項に記載の表示装置。
【請求項６】
前記導光部は、複数の光ファイバーの集合体である、請求項１から５のいずれか１項に記載の表示装置。
【請求項７】
前記複数の照射面毎に、前記光ファイバーの長さが異なる、請求項６に記載の表示装置。
【請求項８】
前記表示面、前記入射部及びそれぞれの前記照射面は平面である、請求項１から７のいずれか１項に記載の表示装置。
【発明の詳細な説明】
【技術分野】
【０００１】
本開示は、画像を表示する表示装置に関する。
【背景技術】
【０００２】
表示装置として、例えば、車両の室内に設けられ、表示部に表示された画像をフロントガラスに投影するヘッドアップディスプレイ（ＨＵＤ）が知られている（例えば、特許文献１、２）。
【先行技術文献】
【特許文献】
【０００３】
【特許文献１】特開２００７−６５０１１号公報
【特許文献２】特開２０１１−５３３８６号公報
【発明の概要】
【発明が解決しようとする課題】
【０００４】
特許文献１、２に記載されている技術は、路面に略垂直に虚像を表示するものである。これに対して、近年は、車載のヘッドアップディスプレイによって路面上に虚像を表示することが検討されている。路面に略垂直に虚像を表示する場合、液晶表示装置等の表示装置は路面と略垂直にすればよいが、路面上に虚像を表示する場合、一例としては表示装置の表示面を路面に向けて傾斜させることが考えられる。この場合、表示装置の視野角によっては虚像の表示が不十分になったり、透過率及びコントラストが低下したりする可能性がある。特許文献１、２は、路面上に虚像を表示することについては記載も示唆もなく、改善の余地がある。
【０００５】
本開示は、車載のヘッドアップディスプレイによって路面上に適切に虚像を表示することを目的とする。
【課題を解決するための手段】
【０００６】
本開示の表示装置は、表示パネルと、前記表示パネルの表示面側に設けられ、前記表示面と平行かつ前記表示面に対向する入射部及び前記入射部から入射した光を照射しかつ前記入射部と平行である照射部を有し、前記照射部は、前記入射部と直交する方向における位置が前記表示面の位置に応じて異なる複数の照射面を有する導光部と、前記導光部を介して前記表示パネルから投影された画像を反射するミラーと、を含む。
【０００７】
本開示は、車載のヘッドアップディスプレイによって路面上に適切に虚像を表示することができる。
【発明の効果】
【０００８】
本開示に係る表示装置は、階段状の照射部ＰＥと、入射部と、表示パネルの表示面とが平行となっている導光部を備える。このような導光部を表示パネルの表示面側に設けることにより、表示パネルは、その表示面からミラーに向かう各光路を、表示面と直交する方向に対して平行にすることができる。このため、表示パネルを路面に向かって傾斜させる必要はなく、表示パネルは路面に対してほほ垂直に配置することができる。その結果、本開示は、表示パネルの視野角の大きさによる虚像の表示の制限を抑制でき、また、表示パネルの透過率及びコントラストの低下を抑制できる。このように、本開示に係る表示装置をヘッドアップディスプレイに適用することで、路面上に適切に虚像を表示することができる。
【図面の簡単な説明】
【０００９】
【図１】図１は、本実施形態に係る表示装置を示す概略図である。
【図２】図２は、比較例に係る表示装置を示す概略図である。
【図３】図３は、本実施形態に係る表示装置が備える導光部及び表示パネルの側面図である。
【図４】図４は、導光部が備える光ファイバーを示す図である。
【図５】図５は、表示パネルの表示面に表示される画像を示す図である。
【図６】図６は、導光部の照射部を示す図である。
【図７】図７は、本実施形態に係る表示装置が表示する虚像を示す図である。
【図８】図８は、本実施形態の第１変形例に係る導光部及び表示パネルの側面図である。
【図９】図９は、本実施形態の第１変形例に係る導光部を正面から見た図である。
【図１０】図１０は、本実施形態の第１変形例に係る表示装置が表示する虚像を示す図である。
【図１１】図１１は、本実施形態の第２変形例に係る導光部及び表示パネルの側面図である。
【図１２】図１２は、本実施形態の第３変形例に係る導光部及び表示パネルの斜視図である。
【発明を実施するための形態】
【００１０】
本開示の実施形態につき、図面を参照しつつ、次に示す順序で詳細に説明する。
１．表示装置
１−１．全体構成
１−２．導光部
１−３．第１変形例
１−４．第２変形例
１−５．第３変形例
２．本開示の構成
【００１１】
［１．表示装置］
＜１−１．全体構成＞
図１は、本実施形態に係る表示装置を示す概略図である。図２は、比較例に係る表示装置を示す概略図である。本実施形態において、表示装置１は、乗用車、バス又はトラック等の車両に搭載されて、車両のフロントウインドウＷに情報を表示するヘッドアップディスプレイである。表示装置１を用いることにより、車両の運転者ＤＲは、前景からほとんど視線を逸らさずに、フロントウインドウＷに表示された情報を視認することができる。
【００１２】
表示装置１は、車両のフロントパネルＩＰ内に収納されている。表示装置１は、光源２と、表示パネル３と、ミラー４と、導光部１０とを含む。光源２は、例えば、ＬＥＤ（Light  Emitting  Diode）であるが、これに限定されるものではない。表示パネル３は、液晶表示パネルであるが、これに限定されるものではない。ミラー４は凹面鏡である。導光部１０は、表示パネル３とミラー４との間に設けられる。導光部１０は、表示パネル３の表示面３ＰＥから照射された光を導いてミラー４に照射し、画像Ｐを投影する。表示装置１は、フロントウインドウＷ及びミラー４と対向する位置に、開口部５を有している。
【００１３】
表示パネル３の表示面３ＰＥに表示されている画像Ｐは、導光部１０に入射した後、導光部１０からミラー４に照射され、投影される。導光部１０を介して表示パネル３から投影された画像Ｐは、ミラー４によって反射されて、開口部５を通過してフロントウインドウＷに投影される。ミラー４は、画像Ｐを拡大してフロントウインドウＷに投影する。運転者ＤＲは、フロントウインドウＷを通して、表示パネル３が投影した画像Ｐの虚像ＰＧを視認する。本実施形態において、虚像ＰＧは、路面ＲＤと平行に近い状態で表示される。これは、ミラー４と対応する部分が階段状に形成されている導光部１０が、画像Ｐをミラー４に投影するためである。導光部１０の構造は後述する。虚像ＰＧが路面ＲＤと平行に近い状態又は平行な状態で表示されることにより、運転者ＤＲからは、虚像ＰＧが路面上に表示されているように見える。このため運転者ＤＲの焦点位置の移動が少なくなる。
【００１４】
運転者ＤＲから虚像ＰＧへの各光路Ｃ、Ｊ、Ｋの長さ（光路長）ｃ、ｊ、ｋは、反射の法則に従い、式（１）〜式（３）で表すことができる。Ａは、凹面鏡を用いたミラー４の拡大率である。ｃ１、ｊ１、ｋ１は、ミラー４からフロントウインドウＷまでの光路Ｃ１、Ｊ１、Ｌ１の長さ（光路長）であり、ｃ２、ｊ２、ｋ２は、表示パネル３の表示面からミラー４までの光路Ｃ２、Ｊ２、Ｋ２の長さ（光路長）である。
ｃ＝ｃ１＋ｃ２×Ａ・・・（１）
ｊ＝ｊ１＋ｊ２×Ａ・・・（２）
ｋ＝ｋ１＋ｋ２×Ａ・・・（３）
【００１５】
虚像ＰＧの平面の角度を浅くして、路面ＲＤと平行に近づけるためには、光路長ｃに比べ光路長ｊを長く、光路長ｋを短くする必要がある。そのためには、光路長ｃ２に比べて光路長ｊ２を長く、光路長ｋ２を短くする必要がある。図２に示す比較例では、表示装置１が備える表示パネル３を、光路Ｋ２の光路長ｋ２を、光路長ｃ２に比べて光路Ｊ２の光路長ｊ２よりも短くなるように傾けることにより、虚像ＰＧの平面の角度を浅くしている。このように表示パネル３を傾けると、表示パネル３の表示面３ＰＥからミラー４に向かう各光路Ｃ２、Ｊ２、Ｋ２は、表示面３ＰＥと直交する方向に対して傾くことになる。
【００１６】
液晶表示パネルを表示パネル３として用いる場合、図２の比較例に係る表示装置１’のように表示パネル３を傾けて配置すると、表示パネル３には、斜め方向からの視角特性が要求される。また、表示パネル３を傾けて配置した場合には、表示パネル３の透過率が低下したり、コントラストが低下したりする。このため、表示パネル３は、表示面３ＰＥからミラー４に向かう各光路Ｃ２、Ｊ２、Ｋ２が、表示面３ＰＥと直交する方向に対して極力平行になるようにすることが好ましい。
【００１７】
このため、本実施形態において、表示装置１は、図１に示すように、表示パネル３の表示面３ＰＥからミラー４に向かう各光路Ｃ２、Ｊ２、Ｋ２を、表示面３ＰＥと直交する方向に対して平行になるようにする。そして、ミラー４と対向する側が階段状に形成された導光部１０を表示パネル３の表示面３ＰＥ側に配置することにより、光路Ｋ２の光路長ｋ２を、光路Ｊ２の光路長ｊ２よりも短くなるようにする。その結果、表示装置１は、虚像ＰＧを、路面ＲＤと平行に近い状態又は平行に表示することができる。次に、導光部１０について説明する。
【００１８】
＜１−２．導光部の詳細＞
図３は、本実施形態に係る表示装置が備える導光部及び表示パネルの側面図である。図４は、導光部が備える光ファイバーを示す図である。図５は、表示パネルの表示面に表示される画像を示す図である。図６は、導光部の照射部を示す図である。図７は、本実施形態に係る表示装置が表示する虚像を示す図である。図中の符号Ｄは下方（重力の作用方向、すなわち鉛直方向）を表し、符号Ｕは上方（鉛直方向とは反対方向）を表す（以下同様）。
【００１９】
導光部１０は、表示パネル３の表示面３ＰＥ側に設けられる。導光部１０は、入射部ＰＩと、照射部ＰＥとを有する。入射部ＰＩは、表示面３ＰＥと平行かつ表示面３ＰＥに対向する。照射部ＰＥは、入射部ＰＩから入射した光を照射する。照射部ＰＥは、入射部ＰＩと平行である。照射部ＰＥは、複数の照射面ＰＥａ、ＰＥｂ、ＰＥｃ、ＰＥｄを有する。複数の照射面ＰＥａ、ＰＥｂ、ＰＥｃ、ＰＥｄは、入射部ＰＩと直交する方向における位置が、表示パネル３の表示面３ＰＥの位置に応じて異なる。すなわち、複数の照射面ＰＥａ、ＰＥｂ、ＰＥｃ、ＰＥｄは、入射部ＰＩからの距離が、表示パネル３の表示面３ＰＥの位置に応じて異なる。
【００２０】
本実施形態において、導光部１０は、複数の導光部材１０ａ、１０ｂ、１０ｃ、１０ｄを有している。それぞれの導光部材１０ａ、１０ｂ、１０ｃ、１０ｄは、それぞれ照射面ＰＥａ、ＰＥｂ、ＰＥｃ、ＰＥｄと、入射面ＰＩａ、ＰＩｂ、ＰＩｃ、ＰＩｄとを有している。複数の入射面ＰＩａ、ＰＩｂ、ＰＩｃ、ＰＩｄは、導光部１０の入射部ＰＩである。それぞれの導光部材１０ａ、１０ｂ、１０ｃ、１０ｄは、照射面ＰＥａ、ＰＥｂ、ＰＥｃ、ＰＥｄと、入射面ＰＩａ、ＰＩｂ、ＰＩｃ、ＰＩｄとが対向する直方体形状の部材である。それぞれの照射面ＰＥａ、ＰＥｂ、ＰＥｃ、ＰＥｄと、それぞれの入射面ＰＩａ、ＰＩｂ、ＰＩｃ、ＰＩｄとは、互いに対向し、かつ平行な平面である。
【００２１】
導光部材１０ａ、１０ｂ、１０ｃ、１０ｄは、この順に、上方Ｕから下方Ｄに向かって表示パネル３の表示面３ＰＥ側に配置される。導光部材１０ａ、１０ｂ、１０ｃ、１０ｄの入射面ＰＩａ、ＰＩｂ、ＰＩｃ、ＰＩｄは、表示面３ＰＥ側と平行かつ対向して、表示面３ＰＥに接している。このような構造により、表示パネル３の表示面３ＰＥと、入射面ＰＩａ、ＰＩｂ、ＰＩｃ、ＰＩｄと、照射面ＰＥａ、ＰＥｂ、ＰＥｃ、ＰＥｄとは平行である。
【００２２】
本実施形態において、それぞれの導光部材１０ａ、１０ｂ、１０ｃ、１０ｄは、図４に示す光ファイバー１１を複数束ねたものである。光ファイバー１１の一方の端面が入射面ＰＩａ、ＰＩｂ、ＰＩｃ、ＰＩｄとなり、他方の端面が照射面ＰＥａ、ＰＥｂ、ＰＥｃ、ＰＥｄとなる。表示パネル３の表示面３ＰＥから射出し、入射面ＰＩａ、ＰＩｂ、ＰＩｃ、ＰＩｄから入射した光は、複数の光ファイバー１１内で反射を繰り返しながら、照射面ＰＥａ、ＰＥｂ、ＰＥｃ、ＰＥｄから照射する。このような構造により、表示パネル３の表示面３ＰＥに表示された画像は、導光部１０の照射部ＰＥに浮かび上がって見える。
【００２３】
複数の導光部材１０ａ、１０ｂ、１０ｃ、１０ｄは、それぞれ、入射面ＰＩａ、ＰＩｂ、ＰＩｃ、ＰＩｄと、照射面ＰＥａ、ＰＥｂ、ＰＥｃ、ＰＥｄとの距離が、上方Ｕから下方Ｄに向かうにしたがって短くなっている。このため、導光部１０は、表示パネル３の表示面３ＰＥの上方Ｕから下方Ｄに向かって、照射面ＰＥａ、ＰＥｂ、ＰＥｃ、ＰＥｄの位置が、この順に表示面３ＰＥに表示に近くなる。すなわち、それぞれの照射面ＰＥａ、ＰＥｂ、ＰＥｃ、ＰＥｄの位置は、下方Ｄから上方Ｕに向かって表示面３ＰＥから遠くなる。それぞれの導光部材１０ａ、１０ｂ、１０ｃ、１０ｄは、照射面ＰＥａ、ＰＥｂ、ＰＥｃ、ＰＥｄ毎に、光ファイバーの長さが異なっている。
【００２４】
導光部１０の照射部ＰＥは、複数の照射面ＰＥａ、ＰＥｂ、ＰＥｃ、ＰＥｄ同士が階段状に組み合わされた形状となる。複数の照射面ＰＥａ、ＰＥｂ、ＰＥｃ、ＰＥｄは、表示パネル３の上下方向に向かって表示面３ＰＥからの距離が段階的に異なる。具体的には、図３に示すように、複数の照射面ＰＥａ、ＰＥｂ、ＰＥｃ、ＰＥｄは、表示パネル３の下方Ｄから上方Ｕに向かって表示面３ＰＥからの距離が段階的に大きくなる。
【００２５】
図５に示すように、複数の導光部材１０ａ、１０ｂ、１０ｃ、１０ｄの入射面ＰＩａ、ＰＩｂ、ＰＩｃ、ＰＩｄと対向する表示面３ＰＥの領域を、それぞれ、領域３ＰＥａ、３ＰＥｂ、３ＰＥｃ、３ＰＥｄとする。表示面３ＰＥのそれぞれの領域３ＰＥａ、３ＰＥｂ、３ＰＥｃ、３ＰＥｄに、図５に示すような画像を表示したとする。領域３ＰＥａに表示された画像は、領域３ＰＥａと対向する導光部材１０ａの入射面ＰＩａから入射する。領域３ＰＥｂに表示された画像は、領域３ＰＥｂと対向する導光部材１０ｂの入射面ＰＩｂから入射する。領域３ＰＥｃに表示された画像は、領域３ＰＥｃと対向する導光部材１０ｃの入射面ＰＩｃから入射する。領域３ＰＥｄに表示された画像は、領域３ＰＥｄと対向する導光部材１０ｄの入射面ＰＩｄから入射する。
【００２６】
領域３ＰＥａ、３ＰＥｂ、３ＰＥｃ、３ＰＥｄに表示されたそれぞれの画像は、図６に示すように、導光部材１０ａ、１０ｂ、１０ｃ、１０ｄの照射面ＰＥａ、ＰＥｂ、ＰＥｃ、ＰＥｄにそれぞれ表示される。照射面ＰＥａ、ＰＥｂ、ＰＥｃ、ＰＥｄは、下方Ｄから上方Ｕに向かって表示面３ＰＥからの距離が遠くなる。同じ位置からそれぞれの照射面ＰＥａ、ＰＥｂ、ＰＥｃ、ＰＥｄを見た場合、表示面３ＰＥからの距離が遠い程、見る位置から近いため、照射面ＰＥａ、ＰＥｂ、ＰＥｃ、ＰＥｄに表示される画像は大きく見える。その結果、照射面ＰＥａ、ＰＥｂ、ＰＥｃ、ＰＥｄに示すように、表示面３ＰＥからの距離が遠い照射面ＰＥａ、ＰＥｂ、ＰＥｃ、ＰＥｄの順に、表示される画像は小さくなる。すなわち、上方Ｕから下方Ｄへ向かって、照射面ＰＥａ、ＰＥｂ、ＰＥｃ、ＰＥｄに表示される画像は小さくなる。
【００２７】
導光部１０は、照射部ＰＥが有する照射面ＰＥａ、ＰＥｂ、ＰＥｃ、ＰＥｄが、上方Ｕから下方Ｄに向かって、この順に表示面３ＰＥからの距離が遠くなっている。したがって、照射面ＰＥａ、ＰＥｂ、ＰＥｃ、ＰＥｄの順に、図１に示すミラー４までの光路長は長くなる。その結果、導光部１０は、図１に示す光路Ｋ２の光路長ｋ２を、光路Ｃ２の光路長ｃ２と比べて光路Ｊ２の光路長ｊ２よりも短くすることができるので、導光部１０を備える表示装置１は、虚像ＰＧを、路面と平行に近い状態又は平行に表示することができる。例えば、導光部１０を備える表示装置１は、図７に示すように、運転者ＤＲに近い手前側から離れるにしたがって、表示される画像の大きさが小さくなる、略台形形状の虚像ＰＧを表示することができる。このように、導光部１０を備えた表示装置１は、路面上に適切に虚像を表示することができる。
【００２８】
導光部１０は、階段状の照射部ＰＥが備えるそれぞれの照射面ＰＥａ、ＰＥｂ、ＰＥｃ、ＰＥｄと、入射部ＰＩが備えるそれぞれの入射面ＰＩａ、ＰＩｂ、ＰＩｃ、ＰＩｄと、表示面３ＰＥとが平行である。このような導光部１０を用いることにより、表示パネル３は、表示面３ＰＥからミラー４に向かう各光路Ｃ２、Ｊ２、Ｋ２を、表示面３ＰＥと直交する方向に対して平行にすることができる。その結果、表示パネル３は視野角が比較的小さくて済み、また、透過率及びコントラストの低下が抑制される。また、導光部１０を備える表示装置１は、表示パネル３の視野角の大きさによる虚像ＰＧの表示の制限を抑制できる。
【００２９】
上下方向（上方Ｕから下方Ｄに向かう方向と平行な方向）に配列される導光部材１０ａ、１０ｂ、１０ｃ、１０ｄの数は限定されるものではない。導光部材１０ａ、１０ｂ、１０ｃ、１０ｄの数が多いほど、虚像ＰＧが滑らかになるため好ましい。次に、本実施形態の変形例を説明する。
【００３０】
＜１−３．第１変形例＞
図８は、本実施形態の第１変形例に係る導光部及び表示パネルの側面図である。図９は、本実施形態の第１変形例に係る導光部を正面から見た図である。図１０は、本実施形態の第１変形例に係る表示装置が表示する虚像を示す図である。第１変形例において、表示パネル３の表示面３ＰＥ側に配置される導光部１０Ａは、上方Ｕに配置される上側導光部１０Ｕと、下方Ｄに配置される下側導光部１０Ｄとを有している。上側導光部１０Ｕと下側導光部１０Ｄとは、表示パネル３の上下方向における中央部を境として、上下に配置されている。
【００３１】
上側導光部１０Ｕは、複数の導光部材１０Ｕａ、１０Ｕｂ、１０Ｕｃ、１０Ｕｄを備えている。複数の導光部材１０Ｕａ、１０Ｕｂ、１０Ｕｃ、１０Ｕｄは、この順に下方Ｄから上方Ｕに向かって配置されている。複数の導光部材１０Ｕａ、１０Ｕｂ、１０Ｕｃ、１０Ｕｄは、表示パネル３の表示面３ＰＥから照射面ＰＥＵまでの距離が、この順に長くなっている。複数の導光部材１０Ｕａ、１０Ｕｂ、１０Ｕｃ、１０Ｕｄの入射面ＰＩＵは、表示パネル３の表示面３ＰＥに接している。
【００３２】
下側導光部１０Ｄは、複数の導光部材１０Ｄａ、１０Ｄｂ、１０Ｄｃ、１０Ｄｄを備えている。複数の導光部材１０Ｄａ、１０Ｄｂ、１０Ｄｃ、１０Ｄｄは、この順に上方Ｕから下方Ｄに向かって配置されている。複数の導光部材１０Ｄａ、１０Ｄｂ、１０Ｄｃ、１０Ｄｄは、表示パネル３の表示面３ＰＥから照射面ＰＥＤまでの距離が、この順に長くなっている。複数の導光部材１０Ｄａ、１０Ｄｂ、１０Ｄｃ、１０Ｄｄの入射面ＰＩＤは、表示パネル３の表示面３ＰＥに接している。
【００３３】
このような構造により、導光部１０Ａは、表示パネル３の上下方向における中央部に配置される導光部材１０Ｕａ、１０Ｄａが最も長く、中央部から上方Ｕ又は下方Ｄに向かって離れるにしたがって、表示面３ＰＥから照射面ＰＥＵ、ＰＥＤまでの距離が長くなる。導光部１０Ａの上側導光部１０Ｕの照射面ＰＥＵに表示される画像は、図９に示すように、下方Ｄから上方Ｕに向かって導光部材１０Ｕａ、１０Ｕｂ、１０Ｕｃ、１０Ｕｄの順に大きくなる。また、導光部１０Ａの下側導光部１０Ｄの照射面ＰＥＤに表示される画像は、図９に示すように、上方Ｕから下方Ｄに向かって導光部材１０Ｄａ、１０Ｄｂ、１０Ｄｃ、１０Ｄｄの順に大きくなる。
【００３４】
導光部１０Ａを備える表示装置１は、図１０に示すように、虚像ＰＧｄを下方Ｄ側に表示し、虚像ＰＧｕを上方Ｕ側に表示する。下方Ｄ側の虚像ＰＧｄは、下側導光部１０Ｄによるものであり、上方Ｕ側の虚像ＰＧｕは、上側導光部１０Ｕによるものである。虚像ＰＧｄ、ＰＧｕは、運転者ＤＲに近い手前側から離れるにしたがって、表示される画像の大きさが小さくなる、略台形形状の像である。このように、導光部１０Ａを備える表示装置１は、下方Ｄ側と上方Ｕ側とに、それぞれ虚像ＰＧｄ、ＰＧｕを表示することができるので、情報を表示する際の自由度が向上する。
【００３５】
＜１−４．第２変形例＞
図１１は、本実施形態の第２変形例に係る導光部及び表示パネルの側面図である。第２変形例において、表示パネル３の表示面３ＰＥ側に配置される導光部１０Ｂは、左側Ｌに配置される左側導光部１０Ｌと、右側Ｒに配置される右側導光部１０Ｒとを有している。左側導光部１０Ｌと右側導光部１０Ｒとは、表示パネル３の左右方向における中央部を境として、左右に配置されている。本変形例において、表示パネル３の左右方向とは、表示パネル３が表示する画像の上下方向と直交する方向である。本変形例において、左側Ｌ及び右側Ｒは、表示パネル３の上方Ｕから見たときを基準とする。
【００３６】
左側導光部１０Ｌは、複数の導光部材１０Ｌａ、１０Ｌｂ、１０Ｌｃ、１０Ｌｄを備えている。複数の導光部材１０Ｌａ、１０Ｌｂ、１０Ｌｃ、１０Ｌｄは、この順に右側Ｒから左側Ｌに向かって配置されている。複数の導光部材１０Ｌａ、１０Ｌｂ、１０Ｌｃ、１０Ｌｄは、表示パネル３の表示面３ＰＥから照射面ＰＥＬまでの距離が、この順に長くなっている。複数の導光部材１０Ｌａ、１０Ｌｂ、１０Ｌｃ、１０Ｌｄの入射面ＰＩＬは、表示パネル３の表示面３ＰＥに接している。
【００３７】
右側導光部１０Ｒは、複数の導光部材１０Ｒａ、１０Ｒｂ、１０Ｒｃ、１０Ｒｄを備えている。複数の導光部材１０Ｒａ、１０Ｒｂ、１０Ｒｃ、１０Ｒｄは、この順に左側Ｌから右側Ｒに向かって配置されている。複数の導光部材１０Ｒａ、１０Ｒｂ、１０Ｒｃ、１０Ｒｄは、表示パネル３の表示面３ＰＥから照射面ＰＥＲまでの距離が、この順に長くなっている。複数の導光部材１０Ｒａ、１０Ｒｂ、１０Ｒｃ、１０Ｒｄの入射面ＰＩＲは、表示パネル３の表示面３ＰＥに接している。
【００３８】
このような構造により、導光部１０Ｂが備える左側導光部１０Ｌの照射面ＰＥＬ及び右側導光部１０Ｒの照射面ＰＥＲは、表示パネル３が表示する画像の上下方向と直交する方向、すなわち左右方向に向かって表示面３ＰＥからの距離が段階的に異なっている。より具体的には、導光部１０Ｂは、表示パネル３の左右方向における中央部に配置される導光部材１０Ｌａ、１０Ｒａが最も短く、中央部から左側Ｌ又は右側Ｒに向かって離れるにしたがって、表示面３ＰＥから照射面ＰＥＬ、ＰＥＲまでの距離が長くなる。
【００３９】
導光部１０Ｂの左側導光部１０Ｌの照射面ＰＥＬに表示される画像は、右側Ｒから左側Ｌに向かって導光部材１０Ｌａ、１０Ｌｂ、１０Ｌｃ、１０Ｌｄの順に大きくなる。また、導光部１０Ｂの右側導光部１０Ｒの照射面ＰＥＲに表示される画像は、左側Ｌから右側Ｒに向かって導光部材１０Ｒａ、１０Ｒｂ、１０Ｒｃ、１０Ｒｄの順に大きくなる。
【００４０】
導光部１０Ｂを備える表示装置１は、左側Ｌと右側Ｒとにそれぞれ虚像を表示することができる。左側Ｌの虚像は、左側導光部１０Ｌによるものであり、右側Ｒの虚像は、右側導光部１０Ｒによるものである。左右の虚像は、運転者ＤＲの視線を中心として左右に離れるにしたがって、表示される画像の大きさが大きくなる像である。このように、導光部１０Ｂを備える表示装置１は、左側Ｌと右側Ｒとに、それぞれ虚像を表示することができるので、情報を表示する際の自由度が向上する。
【００４１】
＜１−５．第３変形例＞
図１２は、本実施形態の第３変形例に係る導光部及び表示パネルの斜視図である。第３変形例の導光部１０Ｃは、第１変形例の導光部１０Ａと第２変形例の導光部１０Ｂとを組み合わせたものである。導光部１０Ｃは、表示パネル３の表示面側に配置される、複数の導光部材１０Ｃａ、１０Ｃｂ、１０Ｃｃ、１０Ｃｄを備えている。複数の導光部材１０Ｃａは、表示パネル３の表示面の中央部に配置される。複数の導光部材１０Ｃａの周囲に、導光部材１０Ｃａよりも長さの長い複数の導光部材１０Ｃｂが配置される。複数の導光部材１０Ｃｂの周囲に、導光部材１０Ｃｂよりも長さの長い複数の導光部材１０Ｃｃが配置される。複数の導光部材１０Ｃｃの周囲に、導光部材１０Ｃｃよりも長さの長い複数の導光部材１０Ｃｄが配置される。このように、導光部１０Ｃは、複数の導光部材１０Ｃａ、１０Ｃｂ、１０Ｃｃ、１０Ｃｄを備えた、略四角錐形状の構造体である。それぞれの導光部材１０Ｃａ、１０Ｃｂ、１０Ｃｃ、１０Ｃｄは、表示パネル３の表示面と接する端面と、その反対側の端面とが平行である。
【００４２】
導光部１０Ｃを備える表示装置１は、上方Ｕ、下方Ｄ、左側Ｌ及び右側Ｒにそれぞれ虚像を表示することができる。このため、導光部１０Ｂを備える表示装置１は、左側Ｌと右側Ｒとに、それぞれ虚像を表示することができるので、情報を表示する際の自由度が向上する。
【００４３】
以上、本開示について説明したが、上述した内容により本開示が限定されるものではない。また、上述した本開示の構成要素には、当業者が容易に想定できるもの、実質的に同一のもの、いわゆる均等の範囲のものが含まれる。さらに、上述した構成要素は適宜組み合わせることが可能である。また、本開示の要旨を逸脱しない範囲で構成要素の種々の省略、置換及び変更を行うことができる。
【００４４】
［２．本開示の構成］
本開示は、次のような構成を採ることができる。
（１）表示パネルと、
前記表示パネルの表示面側に設けられ、前記表示面と平行かつ前記表示面に対向する入射部及び前記入射部から入射した光を照射しかつ前記入射部と平行である照射部を有し、前記照射部は、前記入射部と直交する方向における位置が前記表示面の位置に応じて異なる複数の照射面を有する導光部と、
前記導光部を介して前記表示パネルから投影された画像を反射するミラーと、
を含む表示装置。
（２）前記照射部は、前記複数の照射面同士が階段状に組み合わされた形状である、前記（１）に記載の表示装置。
（３）前記複数の照射面は、前記表示パネルの上下方向に向かって前記表示面からの距離が段階的に異なる、前記（２）に記載の表示装置。
（４）前記複数の照射面は、前記表示パネルの下方から上方に向かって前記表示面からの距離が段階的に大きくなる、前記（３）に記載の表示装置。
（５）前記複数の照射面は、前記表示パネルが表示する画像の上下方向と直交する方向に向かって前記表示面からの距離が段階的に異なる、前記（２）から前記（４）のいずれか１つに記載の表示装置。
（６）前記導光部は、複数の光ファイバーの集合体である、前記（１）から前記（５）のいずれか１つに記載の表示装置。
（７）前記複数の照射面毎に、前記光ファイバーの長さが異なる、前記（６）に記載の表示装置。
（８）前記表示面、前記入射部及びそれぞれの前記照射面は平面である、前記（１）から前記（７）のいずれか１つに記載の表示装置。
【符号の説明】
【００４５】
１  表示装置
２  光源
３  表示パネル
３ＰＥ  表示面
４  ミラー
５  開口部
１０、１０Ａ、１０Ｂ、１０Ｃ  導光部
１０Ｄ  下側導光部
１０Ｌ  左側導光部
１０Ｒ  右側導光部
１０Ｕ  上側導光部
１０ａ〜１０ｄ、１０Ｃａ〜１０Ｃｄ、１０Ｄａ〜１０Ｄｄ、１０Ｌａ〜１０Ｌｄ、１０Ｒａ〜１０Ｒｄ、１０Ｕａ〜１０ｄ  導光部材
１１  光ファイバー
ＩＰ  フロントパネル
Ｐ  画像
ＰＥ  照射部
ＰＥａ〜ＰＥｄ、ＰＥＤ、ＰＥＬ、ＰＥＲ、ＰＥＵ  照射面
ＰＧ、ＰＧｄ、ＰＧｕ  虚像
ＰＩ  入射部
ＰＩａ〜ＰＩｄ、ＰＩＤ、ＰＩＬ、ＰＩＲ、ＰＩＵ  入射面
Ｗ  フロントウインドウ
【図１】
2014126716.tif 000003
【図２】
2014126716.tif 000004
【図３】
2014126716.tif 000005
【図４】
2014126716.tif 000006
【図５】
2014126716.tif 000007
【図６】
2014126716.tif 000008
【図７】
2014126716.tif 000009
【図８】
2014126716.tif 000010
【図９】
2014126716.tif 000011
【図１０】
2014126716.tif 000012
【図１１】
2014126716.tif 000013
【図１２】
2014126716.tif 000014